(57)【要約】【課題】防塵フィルターのメンテナンスが容易に行える空調システムを提供する。【解決手段】建物１の床下空間４に、屋外の屋外機２と接続されたヒートポンプ式のエアコンディショナの屋内機３が設置されており、エアコンディショナの屋内機３には、床上用吹出部３２と、吸込部３１とが設けられ、建物１の床部１ａには、排気口６と給気口７とが設けられており、排気口６とエアコンディショナの屋内機３の吸込部３１との間がダクト８１で接続されているとともに、排気口６には、防塵フィルター１１Ａが設けられた構成とされている。【選択図】図１
2011085272.tif 000002
【特許請求の範囲】
【請求項１】
建物の床下空間に空調装置が設置された空調システムであって、
前記空調装置には、床上用放熱冷部と、吸込部とが設けられており、
前記空調装置は、少なくとも温風及び冷風のいずれか一方を吹き出す装置であり、前記床上用放熱冷部は、床上用吹出部であり、
前記建物の床上空間に面して給気口が設けられており、
前記床上空間と前記床下空間との間を区切る床には、排気口が設けられ、当該排気口と前記空調装置の前記吸込部とが、ダクトを介して接続されて、前記吸込部が前記床上空間の空気を吸込可能とされており、
前記排気口には、防塵フィルターが設けられていることを特徴とする空調システム。
【請求項２】
前記空調装置の前記床上用放熱冷部と前記給気口とがダクトを介して接続されて、前記床上空間に放熱冷可能とされていることを特徴とする請求項１に記載の空調システム。
【請求項３】
前記空調装置には、床下用放熱部が設けられて前記床下空間に放熱可能とされていることを特徴とする請求項１又は２に記載の空調システム。
【請求項４】
前記空調装置の前記床下用放熱部は、温風を吹き出す床下用吹出部であるとともに、前記床上空間に面して、前記給気口とは別の給気口が設けられており、当該別の給気口は、前記床下空間と前記床上空間との間を連通していることを特徴とする請求項３に記載の空調システム。
【請求項５】
前記排気口に設けられた前記防塵フィルターは、掃除機の吸引力で外れないように、着脱自在に取り付けられていることを特徴とする請求項１乃至４のいずれか１項に記載の空調システム。
【請求項６】
前記空調装置は、ヒートポンプ式のエアコンディショナの屋内機であり、屋外に設置された屋外機と接続されていることを特徴とする請求項１乃至５のいずれか１項に記載の空調システム。
【請求項７】
前記床下空間は、前記床と基礎底盤コンクリートと基礎側壁コンクリートとに囲まれているとともに、前記基礎側壁コンクリートには基礎断熱材が取り付けられていることを特徴とする請求項１乃至６のいずれか１項に記載の空調システム。
【請求項８】
請求項１乃至７のいずれか１項に記載の空調システムを備えていることを特徴とする建物。
【発明の詳細な説明】
【技術分野】
【０００１】
本発明は、建物の床下空間に空調装置が設置された空調システム及びこの空調システムを備えた建物に関するものである。
【背景技術】
【０００２】
従来から、建物の床下空間に空調装置が設置された空調システムが知られている（例えば、特許文献１，２等を参照）。
【先行技術文献】
【特許文献】
【０００３】
【特許文献１】特許第３４４０４０９号公報
【特許文献２】特開２００５−４２９５８号公報
【発明の概要】
【発明が解決しようとする課題】
【０００４】
しかしながら、こうした従来の空調システムでは、通常、空調装置の故障を防止するための防塵フィルターは、床下空間に設置された空調装置の吸込部に設けられるため、この防塵フィルターを掃除したり、交換したりするメンテナンスをしようとしても、わざわざ床下空間にもぐりこんで作業を行わなければならず、大変な作業となっていた。
【０００５】
そのため、このメンテナンスは、専門の業者に依頼するのが一般的であった。
【０００６】
そこで、本発明は、防塵フィルターのメンテナンスが容易に行える空調システム及びこの空調システムを備えた建物を提供することを目的としている。
【課題を解決するための手段】
【０００７】
前記目的を達成するために、本発明の空調システムは、建物の床下空間に空調装置が設置された空調システムであって、前記空調装置には、床上用放熱冷部と、吸込部とが設けられており、前記空調装置は、少なくとも温風及び冷風のいずれか一方を吹き出す装置であり、前記床上用放熱冷部は、床上用吹出部であり、前記建物の床上空間に面して給気口が設けられており、前記床上空間と前記床下空間との間を区切る床には、排気口が設けられ、当該排気口と前記空調装置の前記吸込部とが、ダクトを介して接続されて、前記吸込部が前記床上空間の空気を吸込可能とされており、前記排気口には、防塵フィルターが設けられていることを特徴とする。
【０００８】
なお、床上用放熱冷部とは、放熱と放冷の双方を行えるものに限定されず、放熱又は放冷のうち、いずれか一方のみを行えるものも含まれる。
【０００９】
ここで、前記空調装置の前記床上用放熱冷部と前記給気口とがダクトを介して接続されて、前記床上空間に放熱冷可能とされていてもよい。
【００１０】
また、前記空調装置には、床下用放熱部が設けられて前記床下空間に放熱可能とされていてもよい。
【００１１】
ここで、前記空調装置の前記床下用放熱部は、温風を吹き出す床下用吹出部であるとともに、前記床上空間に面して、前記給気口とは別の給気口が設けられており、当該別の給気口は、前記床下空間と前記床上空間との間を連通していてもよい。
【００１２】
さらに、前記排気口に設けられた前記防塵フィルターは、掃除機の吸引力で外れないように、着脱自在に取り付けられているとよい。
【００１３】
また、前記空調装置は、ヒートポンプ式のエアコンディショナの屋内機であり、屋外に設置された屋外機と接続されているとよい。
【００１４】
さらに、前記床下空間は、前記床と基礎底盤コンクリートと基礎側壁コンクリートとに囲まれているとともに、前記基礎側壁コンクリートには基礎断熱材が取り付けられているとよい。
【００１５】
本発明の建物は、上記したいずれかの空調システムを備えていることを特徴とする。
【発明の効果】
【００１６】
このような本発明の空調システムは、建物の床下空間に空調装置が設置された空調システムである。
【００１７】
そして、空調装置には、床上用放熱冷部と、吸込部とが設けられており、空調装置は、少なくとも温風及び冷風のいずれか一方を吹き出す装置であり、床上用放熱冷部は、床上用吹出部であり、建物の床上空間に面して給気口が設けられており、床上空間と床下空間との間を区切る床には、排気口が設けられ、排気口と空調装置の吸込部とが、ダクトを介して接続されて、吸込部が床上空間の空気を吸込可能とされており、排気口には、防塵フィルターが設けられた構成とされている。
【００１８】
こうした構成なので、防塵フィルターは、床上空間内から人の手が届くため、そのメンテナンスが容易に行える。
【００１９】
そのため、わざわざ専門の業者に依頼しなくとも、建物の居住者などが、このメンテナンスを行うことができる。
【００２０】
ここで、空調装置の床上用放熱冷部と給気口とがダクトを介して接続されて、床上空間に放熱冷可能とされている場合は、このダクトにより、暖房運転時には、即効性を有する暖房を行えるし、冷房運転時には、冷気が床下空間に漏れないため、床下空間に結露が生じず、実用化レベルで冷房も行える。
【００２１】
また、空調装置には、床下用放熱部が設けられて床下空間に放熱可能とされている場合は、この床下用放熱部から床下空間に放熱して、床下暖房も行える。
【００２２】
ここで、空調装置の床下用放熱部は、温風を吹き出す床下用吹出部であるとともに、床上空間に面して、給気口とは別の給気口が設けられており、別の給気口は、床下空間と床上空間との間を連通している場合は、空調装置に床下用吸込部を別途設けないで済むため、床下用吸込部に設けなければならない防塵フィルターを掃除したり、交換したりする大変な作業となるメンテナンスを行わなくてもよい。
【００２３】
さらに、排気口に設けられた防塵フィルターは、掃除機の吸引力で外れないように、着脱自在に取り付けられている場合は、防塵フィルターは、多少汚れている際は、通常の掃除にあわせて同じ要領で、取り付けたままの状態で掃除機で掃除ができ、消耗時期には交換もできるため、そのメンテナンスがより容易に行える。
【００２４】
また、空調装置は、ヒートポンプ式のエアコンディショナの屋内機であり、屋外に設置された屋外機と接続されている場合は、ヒートポンプを用いるため、省エネルギー性能に優れたものとすることができる。
【００２５】
さらに、床下空間は、床と基礎底盤コンクリートと基礎側壁コンクリートとに囲まれているとともに、基礎側壁コンクリートには基礎断熱材が取り付けられている場合は、床下空間を断熱構造とするため、床下空間内は、空調装置に極力悪影響を与えない安定した温度環境となる。また、床下暖房を行えるようにした際には、床下空間内の暖気の熱を屋外に極力漏らすことなく、エネルギー効率のよい床下暖房を行える。
【００２６】
このような本発明の建物は、本発明の空調システムを備えた構成とされているので、上記した効果を奏する建物とすることができる。
【図面の簡単な説明】
【００２７】
【図１】実施例１の空調システムを備えた建物の概略構成を説明する説明図である。
【図２】（ａ）は、実施例１の空調システムにおける排気口の詳細な構成を示す平面図であり、（ｂ）は、（ａ）におけるＡ−Ａ線矢視断面図である。
【図３】実施例１の空調システムに用いられる防塵フィルターの分解斜視図である。
【図４】図３の防塵フィルターを組み上げた状態を示す斜視図である。
【図５】（ａ）は、実施例１の空調システムにおける給気口の詳細な構成を示す平面図であり、（ｂ）は、（ａ）におけるＢ−Ｂ線矢視断面図である。
【図６】実施例１の空調システムにおいて、即効性を有する暖房又は冷房を行った状態を示す説明図である。
【図７】実施例１の空調システムにおいて、床下暖房を行った状態を示す説明図である。
【図８】実施例１の空調システムにおいて、即効性を有する暖房及び床下暖房の両方を行った状態を示す説明図である。
【図９】実施例２の空調システムを備えた建物の概略構成を説明する説明図である。
【発明を実施するための形態】
【００２８】
以下、本発明を実施するための形態を、図面に示す実施例１，２に基づいて説明する。
【実施例１】
【００２９】
先ず、実施例１について説明する。
【００３０】
図１は、実施例１の空調システムを備えた建物１の概略構成を示している。
【００３１】
まず、このような建物１は、基礎断熱として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００３２】
そして、この天井部１ｅと外壁部１ｄとに囲まれる空間は、床としての床部１ａによって床下空間４と居室などの床上空間５とが区切られている。この床部１ａは、特に床下空間４側からの床下暖房を考慮して、床下空間４と床上空間５との間の熱の伝達を許容し、断熱材が貼り付けられていない構成となっている。
【００３３】
また、基礎側壁コンクリート１ｃの床下空間４側には、グラスウールなどの基礎断熱材１０が貼り付けられており、床下空間４内の暖気の熱が屋外に極力漏れない断熱構造となっている。
【００３４】
そして、実施例１の空調システムは、床下空間４に空調装置としてのエアコンディショナの屋内機３が設置されている。
【００３５】
ここで、この空調装置としてのエアコンディショナは、ヒートポンプ式であり、屋内機３は、屋外に設置された屋外機２と接続されている。
【００３６】
また、エアコンディショナの屋内機３の内部には、屋外機２に繋がっている熱媒循環管路２１が接続されている。
【００３７】
さらに、このエアコンディショナの屋内機３には、除湿機能を有するものが用いられており、床下空間４から屋外へ貫通する排水用のドレイン１２が設けられている。
【００３８】
また、このエアコンディショナの屋内機３は、吸込部３１と床上用放熱冷部としての床上用吹出部３２と床下用放熱部としての床下用吹出部３３とを有している。
【００３９】
さらに、このエアコンディショナの屋内機３には、床上用吹出部３２及び床下用吹出部３３から空気を様々な強さで吹き出させることが可能なファン（図示せず）が内蔵されている。
【００４０】
また、床上用吹出部３２と床下用吹出部３３とには、電動ダンパーなどから成る開閉弁３２ａ，３３ａがそれぞれ設けられている。
【００４１】
さらに、床部１ａには、グリル付きの排気口６と２種類の給気口７，９とが設けられている。
【００４２】
ここで、排気口６には、空調装置としてのエアコンディショナの屋内機３の故障を防止するための防塵フィルター１１Ａが設けられている。
【００４３】
この排気口６は、図２（ａ）及び図２（ｂ）に示したように、床部１ａに設けた孔に、鍔付き角形容器状の嵌込部６１ａと、この嵌込部６１ａの下部から筒部６１ｂを垂下させて成るグリル本体６１が、嵌め込まれて形成されている。
【００４４】
そのうえで、筒部６１ｂの下部にダクト８１の上端部が嵌め込まれており、排気口６とエアコンディショナの屋内機３の吸込部３１とは、ダクト８１を介して接続されている。
【００４５】
そして、防塵フィルター１１Ａは、このグリル本体６１の嵌込部６１ａ内部の略中間の高さ位置に設けられている。
【００４６】
そのうえで、このグリル本体６１の嵌込部６１ａの上側は、枠部６２ａ内に縦方向の羽板６２ｂ・・・と横方向の羽板６２ｃ，・・・とを網目状に架設したグリル蓋６２で塞がれている。
【００４７】
なお、このグリル蓋６２の羽板６２ｂ，・・・及び６２ｃ，・・・は、排気口６から床上空間５の空気を吸い込む際の圧損を小さくするために、略鉛直方向を向いている。
【００４８】
この防塵フィルター１１Ａは、図３に示したように、同一な構造の１対の枠材１１０，１１０と、フィルター本体１１１とから成る。
【００４９】
具体的には、枠材１１０には、裏側を向け合うとそれぞれ嵌合する係合孔１１０ａ，・・・と係合突起１１０ｂ，・・・及び係合切欠１１０ｃ，１１０ｃと係合爪１１０ｄ，１１０ｄが設けられており、フィルター本体１１１を挟み込んで、これらを嵌合させると、図４に示したように、防塵フィルター１１Ａが組み上がる。
【００５０】
なお、フィルター本体１１１だけを交換したいときは、逆の手順で、防塵フィルター１１Ａを分解すればよい。
【００５１】
この防塵フィルター１１Ａを、グリル本体６１の嵌込部６１ａ内部に取り付ける際は、把持部１１０ｅ，１１０ｅを外側から挟み込むようにして手で持つと、防塵フィルター１１Ａが撓んで幅方向に縮む。
【００５２】
そして、グリル蓋６２を開いた状態で、グリル本体６１の嵌込部６１ａ内部の略中間の高さ位置に有る図示省略の固定用孔のところで把持部１１０ｅ，１１０ｅから手を離すと、防塵フィルター１１Ａの固定用突起１１０ｆ，１１０ｆが復元力により固定用孔へ嵌り込んで、防塵フィルター１１Ａがグリル本体６１の嵌込部６１ａ内部に取り付けられる。
【００５３】
なお、この取付強度は、防塵フィルター１１Ａの上から掃除機をかけても、その吸引力で外れない程度は十分に有る。
【００５４】
逆に、防塵フィルター１１Ａを、グリル本体６１の嵌込部６１ａ内部から取り外したいときは、把持部１１０ｅ，１１０ｅを外側から挟み込むようにして手で持ち上げればよい。
【００５５】
すなわち、防塵フィルター１１Ａは、排気口６から着脱自在とされている。
【００５６】
また、給気口７には、落下物防止用のフィルター１１Ｂが設けられている。
【００５７】
この給気口７は、図５（ａ）及び図５（ｂ）に示したように、床部１ａに設けた孔に、鍔付き角形容器状の嵌込部７１ａと、この嵌込部７１ａの下部から筒部７１ｂを垂下させて成るグリル本体７１が、嵌め込まれて形成されている。
【００５８】
そのうえで、筒部７１ｂの下部にダクト８２の上端部が嵌め込まれており、給気口７とエアコンディショナの屋内機３の床上用吹出部３２とは、ダクト８２を介して接続されている。
【００５９】
そして、落下物防止用のフィルター１１Ｂは、このグリル本体７１の嵌込部７１ａ内部の略中間の高さ位置に設けられている。
【００６０】
そのうえで、このグリル本体７１の嵌込部７１ａの上側は、枠部７２ａ内に縦方向の羽板７２ｂ・・・と横方向の羽板７２ｃ，・・・とを網目状に架設した一対のグリル蓋７２，７２で塞がれている。
【００６１】
なお、これらのグリル蓋７２の横方向の羽板７２ｃ，・・・は、略鉛直方向を向いているが、縦方向の羽板７２ｂ，・・・は、斜め上方へ傾斜した向きとされている。
【００６２】
これらのグリル蓋７２，７２は、平面視で略正方形とされているため、嵌め込み方により、四方向に給気口７から床上空間５へ吹き出す暖気又は冷気の風向を変化させることができる。
【００６３】
なお、この落下物防止用のフィルター１１Ｂの構造は、防塵フィルター１１Ａと同一であるので、これ以上の説明は省略する。
【００６４】
さらに、別の給気口９にも、落下物防止用のフィルター１１Ｂが設けられている。
【００６５】
この別の給気口９は、筒部７１ｂの下部にダクトが嵌め込まれておらず、床下空間４と直接連通していることが異なり、その他の構成は、給気口７と略同一なので、図示及びこれ以上の説明を省略する。
【００６６】
なお、床上空間５には、所望の運転パターンに設定するためのコントローラ１３が設けられている。
【００６７】
次に、実施例１の空調システムの運転パターンについて説明する。
【００６８】
まず、暖房運転時のパターンについて説明する。
【００６９】
床上空間５を、即効性を有する暖房のみで暖めたいときは、エアコンディショナの屋内機３の床上用吹出部３２の開閉弁３２ａを開状態とし、床下用吹出部３３の開閉弁３３ａは閉状態とする。
【００７０】
そして、エアコンディショナの屋内機３を稼動させると、図６に示したように、床上空間５のみで暖気が対流して、床上空間５が即座に暖まる。
【００７１】
床上空間５を、床下暖房のみで暖めたいときは、エアコンディショナの屋内機３の床上用吹出部３２の開閉弁３２ａを閉状態とし、床下用吹出部３３の開閉弁３３ａは開状態とする。
【００７２】
そして、エアコンディショナの屋内機３を稼動させると、図７に示したように、床下空間４が即座に暖められ、その熱が主に床部１ａを介して床上空間５へ伝達され、床上空間５が均一にムラなく暖まる。
【００７３】
厳寒期などに、床上空間５を、即効性を有する暖房及び床下暖房の両者で暖めたいときは、エアコンディショナの屋内機３の床上用吹出部３２の開閉弁３２ａを開状態とし、床下用吹出部３３の開閉弁３３ａも開状態とする。
【００７４】
そして、エアコンディショナの屋内機３を稼動させると、図８に示したように、床上空間５のみで対流する暖気と、主に床部１ａを介して床上空間５へ伝達され、床上空間５を均一にムラなく暖める熱とで、床上空間５が即座に且つ均一にムラなく暖まる。
【００７５】
次に、冷房運転時のパターンについて説明する。
【００７６】
床上空間５を冷房で冷やしたいときは、エアコンディショナの屋内機３の床上用吹出部３２の開閉弁３２ａを開状態とし、床下用吹出部３３の開閉弁３３ａは閉状態とする。
【００７７】
そして、エアコンディショナの屋内機３を稼動させると、図６に示したように、床上空間５のみで冷気が対流して、床上空間５が即座に冷やされる。
【００７８】
なお、この冷房運転時には、コントローラ１３で所望の湿度を設定することにより、エアコンディショナの屋内機３の除湿機能で除湿することもできる。
【００７９】
すなわち、暖房運転時、冷房運転時の運転パターンを問わず、エアコンディショナの屋内機３から床上空間５へ吹き出された空気は、全て、排気口６に設けられた防塵フィルター１１Ａを通ってから、エアコンディショナの屋内機３内へ戻ることとなる。
【００８０】
次に、実施例１の作用効果について説明する。
【００８１】
このような実施例１の空調システムは、建物１の床下空間４に空調装置としてのエアコンディショナの屋内機３が設置されている。
【００８２】
そして、エアコンディショナの屋内機３には、床上用放熱冷部としての床上用吹出部３２と、吸込部３１とが設けられており、建物１の床としての床部１ａには、排気口６と給気口７とが設けられており、排気口６とエアコンディショナの屋内機３の吸込部３１との間がダクト８１で接続されている。
【００８３】
そのうえで、排気口６には、防塵フィルター１１Ａが設けられた構成とされている。
【００８４】
こうした構成なので、防塵フィルター１１Ａは、床上空間５内から人の手が届くため、そのメンテナンスが容易に行える。
【００８５】
そのため、わざわざ専門の業者に依頼しなくとも、建物１の居住者などが、このメンテナンスを行うことができる。
【００８６】
ここで、エアコンディショナの屋内機３の床上用放熱冷部としての床上用吹出部３２と給気口７との間が、ダクト８２で接続されて、床上空間５に放熱冷可能とされている。
【００８７】
このため、このダクト８２により、暖房運転時には、即効性を有する暖房を行えるし、冷房運転時には、冷気が床下空間４に漏れないので、床下空間４に結露が生じず、実用化レベルで冷房も行える。
【００８８】
また、エアコンディショナの屋内機３には、床下用放熱部としての床下用吹出部３３が設けられており、床下空間４に放熱可能とされている。
【００８９】
このため、この床下用吹出部３３から床下空間４に放熱して、床下暖房も行える。
【００９０】
ここで、床部１ａには、ダクトを介さない給気口７とは別の給気口９が設けられている。
【００９１】
このため、エアコンディショナの屋内機３に床下用吸込部を別途設けないで済むので、床下用吸込部に設けなければならない防塵フィルターを掃除したり、交換したりする大変な作業となるメンテナンスを行わなくてもよい。
【００９２】
さらに、排気口６に設けられた防塵フィルター１１Ａは、掃除機の吸引力で外れないように、着脱自在に取り付けられている。
【００９３】
このため、防塵フィルター１１Ａは、多少汚れている際は、通常の掃除にあわせて同じ要領で、取り付けたままの状態で掃除機で掃除ができ、消耗時期には交換もできるので、そのメンテナンスがより容易に行える。
【００９４】
なお、給気口７及び別の給気口９に設けられた落下物防止用のフィルター１１Ｂも、防塵フィルター１１Ａと同一な構成であるので、同様に、そのメンテナンスを容易に行える。
【００９５】
また、空調装置としてのエアコンディショナの屋内機３は、ヒートポンプ式であり、屋外に設置された屋外機２に接続されている。
【００９６】
このため、ヒートポンプを用いるので、省エネルギー性能に優れたものとすることができる。
【００９７】
さらに、床下空間４は、建物１の床としての床部１ａと基礎底盤コンクリート１ｂと基礎側壁コンクリート１ｃとに囲まれているとともに、基礎側壁コンクリート１ｃには基礎断熱材１０が取り付けられている。
【００９８】
このため、床下空間４を断熱構造とするため、床下空間４内は、空調装置としてのエアコンディショナの屋内機３に極力悪影響を与えない安定した温度環境となる。また、床下暖房時には、床下空間４内の暖気の熱を屋外に極力漏らすことなく、エネルギー効率のよい床下暖房を行える。
【００９９】
このような実施例１の建物１は、実施例１の空調システムを備えた構成とされているので、上記した作用効果を奏する建物とすることができる。
【０１００】
ここで、空調装置としてのエアコンディショナの屋内機３などが、床下空間４に設置されているので、床上空間５は、これらに占用されず、有効に利用することができるうえに、意匠的外観が良い。
【実施例２】
【０１０１】
次に、実施例２について説明する。
【０１０２】
なお、実施例１で説明した内容と同一乃至均等な部分の説明については同一符号を付して説明する。
【０１０３】
図９は、実施例２の空調システムを備えた建物１Ａの概略構成を示している。
【０１０４】
この実施例２の建物１Ａでは、空調装置としてのエアコンディショナの屋内機３０に、床下用放熱部としての床下用吹出部３３が設けられておらず、床としての床部１ａには、ダクトを介さない別の給気口９が設けられていないことが実施例１の建物１と主に異なる。
【０１０５】
すなわち、建物１Ａの床上空間５が床下暖房を必要としない場合に、特に好適に実施される。
【０１０６】
また、ダクトを介さない別の給気口９を設けないで済む分、床上空間５の意匠的外観を向上させることができる。
【０１０７】
なお、他の構成及び作用効果については、実施例１と略同様であるので説明を省略する。
【０１０８】
以上、図面を参照して、本発明を実施するための形態を実施例１，２に基づいて詳述してきたが、具体的な構成は、これらの実施例１，２に限らず、本発明の要旨を逸脱しない程度の設計的変更は、本発明に含まれる。
【０１０９】
例えば、実施例１，２では、本発明の空調システムの説明を簡単に行えるように、建物１，１Ａの構造などを単純化したが、これに限定されない。
【０１１０】
すなわち、３階以上の階から成る複数の部屋を有する建物において、各部屋に対して、本発明の空調システムを適用するようにして実施してもよい。
【０１１１】
ここで、実施例１，２では、空調装置としてのエアコンディショナの屋内機３，３０を床下空間４に１台設置して実施したが、これに限定されず、必要に応じ、複数台設置し実施してもよい。
【０１１２】
また、実施例１，２では、空調装置としてヒートポンプ式のエアコンディショナの屋内機３を用いて実施したが、これに限定されない。
【０１１３】
例えば、暖房運転だけを目的とする場合は、空調装置として電熱器などを用いて実施してもよい。
【０１１４】
或いは、実施例１に対応するように、空調装置は、床上用放熱冷部を有する部分をエアコンディショナの屋内機とし、床下用放熱部を有する部分を電熱器とする構造として実施してもよい。
【０１１５】
さらに、実施例１では、空調装置としてのエアコンディショナの屋内機３に、１つのファンを内蔵し、床上用放熱冷部としての床上用吹出部３２と、床下用放熱部としての床下用吹出部３３とに、それぞれ開閉弁３２ａ，３３ａをそれぞれ設けて実施したが、これに限定されず、床上用吹出部３２と床下用吹出部３３とに個別にファンを設けることで、それぞれ独立して制御可能となるようにして実施してもよい。
【０１１６】
また、実施例１では、空調装置を１台のエアコンディショナの屋内機３で実施したが、これに限定されず、２台以上のエアコンディショナの屋内機に床上用吹出部３２と床下用吹出部３３とを個別に設けることで、それぞれ独立して制御可能となるようにして実施してもよい。
【０１１７】
さらに、実施例１，２では、排気口６，給気口７，及びダクトを介さない別の給気口９などを床部１ａに設けて実施したが、これに限定されず、これらを床上空間５の内壁などに設けて実施してもよい。
【符号の説明】
【０１１８】
１      建物
１Ａ    建物
１ａ    床部（床）
１ｂ    基礎底盤コンクリート
１ｃ    基礎側壁コンクリート（建物の外周の基礎）
２      エアコンディショナの屋外機
３      エアコンディショナの屋内機（空調装置）
３０    エアコンディショナの屋内機（空調装置）
３１    吸込部
３２    床上用吹出部（床上用放熱冷部）
３３    床下用吹出部（床下用放熱部）
３２ａ  開閉弁
３３ａ  開閉弁
４      床下空間
５      床上空間
６      排気口
７      給気口
８１    ダクト
８２    ダクト
９      別の給気口
１０    基礎断熱材
１１Ａ  防塵フィルター
【図１】
2011085272.tif 000003
【図２】
2011085272.tif 000004
【図３】
2011085272.tif 000005
【図４】
2011085272.tif 000006
【図５】
2011085272.tif 000007
【図６】
2011085272.tif 000008
【図７】
2011085272.tif 000009
【図８】
2011085272.tif 000010
【図９】
2011085272.tif 000011
【手続補正書】
【提出日】平成23年1月5日(2011.1.5)
【手続補正１】
【補正対象書類名】特許請求の範囲
【補正対象項目名】全文
【補正方法】変更
【補正の内容】
【特許請求の範囲】
【請求項１】
建物の床下空間に空調装置が設置された空調システムであって、
前記空調装置には、床上用放熱冷部と、吸込部とが設けられており、
前記空調装置は、温風又は冷風を選択して吹き出す装置であり、前記床上用放熱冷部は、床上用吹出部であり、
前記建物の床上空間に面して給気口が設けられ、当該給気口と前記空調装置の前記床上用放熱冷部とがダクトを介して接続されて、前記床上空間に放熱冷可能とされており、
前記床上空間と前記床下空間との間を区切る床には、排気口が設けられ、当該排気口と前記空調装置の前記吸込部とが、ダクトを介して接続されて、前記吸込部が前記床上空間の空気を吸込可能とされており、
前記排気口には、防塵フィルターが設けられているとともに、
前記空調装置には、前記床下空間に温風を吹き出す床下用放熱部としての床下用吹出部が設けられており、
暖房運転時には、前記床上用放熱冷部と前記床下用放熱部のいずれか一方又は両者から温風を吹き出す制御がなされるとともに、
冷房運転時には、前記床上用放熱冷部から冷風を吹き出し、前記床下用放熱部からは冷風を吹き出さない制御がなされることを特徴とする空調システム。
【請求項２】
前記床上空間に面して、前記給気口とは別の給気口が設けられており、当該別の給気口は、前記床下空間と前記床上空間との間を連通していることを特徴とする請求項１に記載の空調システム。
【請求項３】
前記排気口に設けられた前記防塵フィルターは、掃除機の吸引力で外れないように、着脱自在に取り付けられていることを特徴とする請求項１又は２に記載の空調システム。
【請求項４】
前記空調装置は、ヒートポンプ式のエアコンディショナの屋内機であり、屋外に設置された屋外機と接続されていることを特徴とする請求項１乃至３のいずれか１項に記載の空調システム。
【請求項５】
前記床下空間は、前記床と基礎底盤コンクリートと基礎側壁コンクリートとに囲まれているとともに、前記基礎側壁コンクリートには基礎断熱材が取り付けられていることを特徴とする請求項１乃至４のいずれか１項に記載の空調システム。
【請求項６】
請求項１乃至５のいずれか１項に記載の空調システムを備えていることを特徴とする建物。
【手続補正２】
【補正対象書類名】明細書
【補正対象項目名】０００７
【補正方法】変更
【補正の内容】
【０００７】
前記目的を達成するために、本発明の空調システムは、  建物の床下空間に空調装置が設置された空調システムであって、前記空調装置には、床上用放熱冷部と、吸込部とが設けられており、前記空調装置は、温風又は冷風を選択して吹き出す装置であり、前記床上用放熱冷部は、床上用吹出部であり、前記建物の床上空間に面して給気口が設けられ、当該給気口と前記空調装置の前記床上用放熱冷部とがダクトを介して接続されて、前記床上空間に放熱冷可能とされており、前記床上空間と前記床下空間との間を区切る床には、排気口が設けられ、当該排気口と前記空調装置の前記吸込部とが、ダクトを介して接続されて、前記吸込部が前記床上空間の空気を吸込可能とされており、前記排気口には、防塵フィルターが設けられているとともに、前記空調装置には、前記床下空間に温風を吹き出す床下用放熱部としての床下用吹出部が設けられており、暖房運転時には、前記床上用放熱冷部と前記床下用放熱部のいずれか一方又は両者から温風を吹き出す制御がなされるとともに、冷房運転時には、前記床上用放熱冷部から冷風を吹き出し、前記床下用放熱部からは冷風を吹き出さない制御がなされることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
ここで、前記床上空間に面して、前記給気口とは別の給気口が設けられており、当該別の給気口は、前記床下空間と前記床上空間との間を連通していてもよい。
【手続補正７】
【補正対象書類名】明細書
【補正対象項目名】００１７
【補正方法】変更
【補正の内容】
【００１７】
そして、空調装置には、床上用放熱冷部と、吸込部とが設けられており、空調装置は、温風又は冷風を選択して吹き出す装置であり、床上用放熱冷部は、床上用吹出部であり、建物の床上空間に面して給気口が設けられ、給気口と空調装置の床上用放熱冷部とがダクトを介して接続されて、床上空間に放熱冷可能とされており、床上空間と床下空間との間を区切る床には、排気口が設けられ、排気口と空調装置の吸込部とが、ダクトを介して接続されて、吸込部が床上空間の空気を吸込可能とされており、排気口には、防塵フィルターが設けられているとともに、空調装置には、床下空間に温風を吹き出す床下用放熱部としての床下用吹出部が設けられている。
そのうえで、暖房運転時には、床上用放熱冷部と床下用放熱部のいずれか一方又は両者から温風を吹き出す制御がなされるとともに、冷房運転時には、床上用放熱冷部から冷風を吹き出し、床下用放熱部からは冷風を吹き出さない制御がなされる構成とされている。
【手続補正８】
【補正対象書類名】明細書
【補正対象項目名】００２０
【補正方法】変更
【補正の内容】
【００２０】
また、ダクトにより、暖房運転時には、即効性を有する暖房を行えるし、冷房運転時には、冷気が床下空間に漏れないため、床下空間に結露が生じず、実用化レベルで冷房も行える。
【手続補正９】
【補正対象書類名】明細書
【補正対象項目名】００２１
【補正方法】変更
【補正の内容】
【００２１】
さらに、床下用放熱部から床下空間に放熱して、床下暖房も行える。
【手続補正１０】
【補正対象書類名】明細書
【補正対象項目名】００２２
【補正方法】変更
【補正の内容】
【００２２】
ここで、床上空間に面して、給気口とは別の給気口が設けられており、別の給気口は、床下空間と床上空間との間を連通している場合は、空調装置に床下用吸込部を別途設けないで済むため、床下用吸込部に設けなければならない防塵フィルターを掃除したり、交換したりする大変な作業となるメンテナンスを行わなくてもよい。